(57)【要約】【課題】シートで周壁上端面を閉塞する容器体上部へ蓋体を嵌合させ、蓋体頂壁の前方一部を開口用部として該開口用部押下げで該開口用部を形成する頂壁部分が後部を中心として回動し、該回動でその頂壁部分下方のシート部分が開口されて容器体内収納物の飲口が形成可能とした容器において、飲み残しの液体保存のための開閉蓋を設けた。【解決手段】  上記開口部を形成する蓋体11の頂壁部分を上下二重壁で形成し、それ等上下両壁は、第１、第２肉薄ヒンジ19、28を介して上記開口部形成頂壁部分の後端面から前方突出させ、上壁18は上方へ起立可能にかつ開口部を閉塞可能に形成し、下壁27はその前端からカッター30付きの切截板31を垂下してその押下げで該下壁下方のシート４部分を開口可能に形成した。【選択図】  図３
2006240621.tif 000002
【特許請求の範囲】
【請求項１】
シートで周壁上端面を密閉する容器体１上部へ蓋体を嵌合させ、該蓋体頂壁前部に設けた押圧板の押下げで後端ヒンジを中心に回動して、該押圧板下方のシート部分を破断開口可能とした開封容器において、
上記押圧板で形成する蓋体開口部分を、該開口部分後端面の上下から第１、第２肉薄ヒンジ19、28を介して前方突出する上下二重壁で形成して、下壁27を上記押圧板とし、かつ上壁18は、該上壁前部から蓋体周壁13前部前面を覆う係合板20を垂下し、該上壁水平状態にあっては、該上壁の左右両側面とこれ等両側面に対向する蓋体頂壁の側面12a とが、又上壁前部下面と該下面が接する蓋体周壁前部13ａの上端面とが、それぞれ水密に接することが可能に形成した
ことを特徴とする開封容器。
【請求項２】
上記下壁27の前面と、蓋体周壁前部の上端後面とを、破断可能な連結子29で連結した
ことを特徴とする、請求項１記載の開封容器。
【請求項３】
上記上壁18の左右両側面から左右両側壁23を垂設し、かつこれ等両側面と対向する蓋体頂壁側面の下端からは、上壁水平状態において上記左右両側壁23下端面を当接させる係合板26を突設した
ことを特徴とする、請求項１又は２記載の開封容器。
【請求項４】
上記容器体１を、周壁２上端に付設した第１外向きフランジ３上面へシート４を張設させて密封すると共に、蓋体11は頂壁12外周から垂下させた周壁13下端から第２外向きフランジ14を介して垂下させた嵌合壁15を上記第１外向きフランジ３外面へ嵌合させて形成し、又上記第２ヒンジ直ぐ後方の頂壁部分と直ぐ前方の押圧板部分とから第１、第２係止板32、33を垂設して、押圧板押下げでそれ等両係止板が係合可能に形成した
ことを特徴とする請求項１、２又は３記載の開封容器。
【発明の詳細な説明】
【技術分野】
【０００１】
本発明は例えば飲用水充填の開封容器に関する。
【背景技術】
【０００２】
周壁上面をアルミシート等で密閉した容器体上部に蓋体を嵌合させ、該蓋体頂壁上部に設けた押圧板の押下げで、該押圧板後端のヒンジを中心として垂下して、該押圧板下方のシート部分が破断されて開口し、該開口から容器体内飲料水を飲むことが可能とした開封容器が知られている（特許文献１。特許文献２）。
【特許文献１】実公昭６０−４９３６号公報。
【特許文献２】特開２００５−２２７５７号公報。
【発明の開示】
【発明が解決しようとする課題】
【０００３】
上記各容器は開口後、該開口部分を再閉塞する手段を有しないから、容器体内飲用水を残した場合の処理に不便があった。
【０００４】
本発明は、上記押圧板部分を上下二重壁で形成して下壁を上記従来例の押圧板に、上壁は上記押圧板押下げ後に形成される開口部分開閉用の蓋板として、上記飲み残し状態のまま容器を保管できるよう設けた。
【課題を解決するための手段】
【０００５】
第１の手段として、シートで周壁上端面を密閉する容器体１上部へ蓋体を嵌合させ、該蓋体頂壁を前部に設けた押圧板の押下げで後端ヒンジを中心に回動して、該押圧板下方のシート部分を破断開口可能とした開封容器において、上記押圧板で形成する蓋体開口部分を、該開口部分後端面の上下から第１、第２ヒンジ19、28を介して前方突出する上下二重壁で形成して、下壁27を上記押圧板とし、かつ上壁18は、該上壁前部から蓋体周壁13前部前面を覆う係合板20を垂下し、該上壁水平状態にあっては、該上壁の左右両側面とこれ等両側面に対向する蓋体頂壁の側面12a とが、又上壁前部下面と該下面が接する蓋体周壁前部13ａの上端面とが、それぞれ水密に接することが可能に形成した。
【０００６】
第２の手段として、上記第１の手段を有すると共に上記下壁27の前面と、蓋体周壁前部の上端後面とを、破断可能な連結子29で連結した。
【０００７】
第３の手段として、上記第１又は第２の手段を有すると共に上記上壁18の左右両側面から左右両側壁23を垂設し、かつこれ等両側面と対向する蓋体頂壁側面の下端からは、上壁水平状態において上記左右両側壁23下端面を当接させる係合板26を突設した。
【０００８】
第４の手段として、上記第１、第２又は第３の手段を有すると共に上記容器体１を、周壁２上端に付設した第１外向きフランジ３上面へシート４を張設させて密封すると共に、蓋体11は頂壁12外周から垂下させた周壁13下端から第２外向きフランジ14を介して垂下させた嵌合壁15を上記第１外向きフランジ３外面へ嵌合させて形成し、又上記第２ヒンジ直ぐ後方の頂壁部分と直ぐ前方の押圧板部分とから第１、第２係止板32、33を垂設して、押圧板押下げでそれ等両係止板が係合可能に形成した。
【発明の効果】
【０００９】
請求項１記載のようにすることで、下壁27を第２肉薄ヒンジ28を中心として押下げて開口させた後も上壁18をその開口が形成する飲口開閉用の蓋体として使用できる便利がある。
【００１０】
請求項２のようにすることで、請求項１記載の効果を有するほか、連結子29を破断しない限り、その下蓋が押下げられることはなく、不用意に下蓋下方のシート部分が傷ついて満水するようなことがない。
【００１１】
請求項３のようにすることで、請求項１、又は２記載の効果を有するほか、飲み残し液体が入ったまま、上壁18で容器を密閉できる。
【００１２】
請求項４のようにすることで、請求項１、２又は３記載の効果を有するほか、使い勝手のよい開封容器とすることが出来る。
【発明を実施するための最良の形態】
【００１３】
以下図面について説明すると、１はカップ型の容器体で、その周壁２上端には第１外向きフランジ３を周設している。その容器体内へは例えば飲用水を入れ、上記外向きフランジ上面ヘ接合させたアルミシート等のシート４でその容器体上面を密閉させている。
【００１４】
11は蓋体で頂壁12外周から垂下する周壁13下端に第２外向きフランジ14を付設し、該第２外向きフランジ外周から嵌合壁15を垂下させて該嵌合壁を第１外向きフランジ３外面へ嵌合させている。第２外向きフランジ14は第１外向きフランジ３上面へ載置させており、該状態で嵌合壁15の上部内面へ周設した突条16を第１外向きフランジ３の外周部下面へ係合させて、容器体に対して蓋体11を緊密に嵌合させている。
【００１５】
蓋体頂壁の前部は、開封用部17として図３が示すように上下二重壁で形成している。その上壁18は左右両側および前部を他の頂壁部分および周壁上端から切離し、かつ後縁とその後方頂壁部分とを第１肉薄ヒンジ19で連結し、上壁18前端を前方へ延長してその前端からは容器体周壁前部13ａの前面上部を覆合する係合板20を垂下し、該係合板の下部内面に突条を横設して、上記蓋体周壁前部13ａの上端部前面へ横設した突条21ｂ下面へ係合させている。上壁18の前端は係合板前面よりも僅かに前方突出させてその前方突出部分を上壁起伏用の指掛け部22としている。
【００１６】
該上壁の左右両側からは側壁23を垂下させるとよい、それ等両側壁前端には蓋体周壁部嵌合用の凹部24を穿設しており、上壁閉塞時に上記左右側壁23外面が、それ等側壁外面と対向する頂壁切離し面と水密に接するよう設けている。尚図５が示すように、側壁23と対向する頂壁切離し面下端からは垂下壁25を介し内方へ係合板26を突出させて、上壁閉塞時にその側壁23下面が係合板26上面へ水密に接するよう設けている。
【００１７】
下壁27は上記開封用部17後端面の下端から第２肉薄ヒンジ28を介して前方突出させ、その前端と蓋体周壁前部の上端とを破断可能な連結子29で連結している。該連結子前端と連続する蓋体周壁前部13a 上端部は収納液体の飲口を形成する部分であるから、その飲口に連結子破断跡としての突部が残って口唇を傷つけないよう、連結子29前端を出来るだけ小外径に、かつ突部が残らないよう設けるものとする。又下壁27前端から下端をカッター30とした破截板31を垂下し、そのカッターをシート４上面ヘ近接させている。又第２肉薄ヒンジ28の僅か前方下壁部分からは第１係止板32を垂下している。該第１係止板は、第２肉薄ヒンジ28後方から垂下させた第２係止板33へ、二点鎖線が示すように、下壁27を押下げたとき第１係止板32が第２係止板33へ係合して、その下壁垂下状態を保持するよう設けたものであり、図示例では図２が示すように第１係止板32を棒状とし、又第２係止板33に下面開口で下部横巾を小とした割溝34を設け、下壁垂下時に第１係合板32下端部がその割溝内へ嵌合するよう設けている。
【００１８】
尚上記連結子29は、蓋体11を合成樹脂で一体成形する際のゲートで形成している。合成樹脂材による蓋体成形に際しては、上壁18を図３で示すように起立させ、又下壁27は水平とした状態で行えばよい。第１、第２肉薄ヒンジ19、28は、開封用部17の後壁面の上端部と下端部とに設け、第２ヒンジ28を介して下壁27を前方突出させ、又第１ヒンジ19を介して上壁18を起立させればよい。
【００１９】
上記容器の開蓋は次のように行うことが出来る。
【００２０】
図１が、又図３が示す閉蓋状態から、指掛け部22を上方へ押上げすることで、上壁18を起立させ、図４のように該上壁を後方へ倒しておき、次いで下壁27を図３の二点鎖線が示すように押下げする。該押下げでシート４前部は破断されて第２肉薄ヒンジ28下方まで破断されて開口するから、その開口から収納液を飲めばよい。収納液を残した場合は上壁18を前方へ回動させて開口部分を閉塞する。
【００２１】
尚本発明の容器は、既述飲料水のほか、例えば調味料等複数回使用の収納容器としても使用することが出来る。
【図面の簡単な説明】
【００２２】
【図１】本発明容器上部の斜視図である。
【図２】図１容器の上部を上壁を起立させた開蓋状態で示す斜視図である。
【図３】図１容器の要部の拡大図である。
【図４】図２上壁を後方へ倒し、かつ下壁を下方へ押下げてシートを開口させた状態で示す斜視図である。
【図５】図１Ａ−Ａ’線を矢示方向へみた断面図である。
【符号の説明】
【００２３】
１  容器体                          ４  シート
11  蓋体                            18  上壁
19  第１肉薄ヒンジ                  23  側壁
28  第２肉薄ヒンジ                  29  連結子
31  切截板                          32  第１係止板
33  第２係止板
【図１】
2006240621.tif 000003
【図２】
2006240621.tif 000004
【図３】
2006240621.tif 000005
【図４】
2006240621.tif 000006
【図５】
2006240621.tif 000007